(57)【要約】【課題】簡潔な構成で、計量センサへの被着および計量秤への組み付けが容易で、計量センサ搬送時の衝撃を緩和できる計量センサ用防水カバーを提供する。【解決手段】一端が上フレーム１６に連結され他端が下フレーム１２に連結されるロードセル２０を覆う、伸縮可能な弾性材で一体成形された防水カバー３０で、収容したロードセル２０の周りに隙Ｓができるよう防水カバー３０をロードセル２０より稍大きく形成し、防水カバー３０の内側にロードセル２０を位置決めするリブ３１を設け、防水カバー３０の両端側にロードセル２０を上下のフレーム１６、１２に連結するための開口３２Ａ，３２Ｂを設け、該開口の少なくとも一方からロードセル２０を防水カバー３０内に挿入でき、ロードセル２０と上下のフレーム１６、１２との連結部に開口周縁部３３が挟持されて該開口３２Ａ，３２Ｂが封止される。ロードセル２０を防水カバー３０内に収容した形態で搬送すれば、ロードセル２０同士の干渉による損傷の発生が防水カバー３０によって回避される。【選択図】  図７
2004354129.tif 000002
【特許請求の範囲】
【請求項１】
一端部が計量秤のベース側に連結され他端部が計量秤の被荷重印加部材側に連結される計量センサの全体を覆う、伸縮可能な弾性材で一体成形された中空の防水カバーであって、
前記防水カバーは、内部に収容した計量センサとの間に隙ができるように計量センサの外形より稍大きい形状に形成され、
その両端側には、収容した計量センサを前記秤のベース側および被荷重印加部材側にそれぞれ連結するための開口であって、少なくともその一方が計量センサ挿入用の孔として機能する開口が設けられるとともに、
前記防水カバー内側の前記開口近傍には、収容した計量センサを位置決めする位置決め用リブが突設され、
前記防水カバー内部の計量センサを前記秤のベース側および被荷重印加部材側にそれぞれ連結した場合に、該連結部により前記開口周縁部がそれぞれ挟持されて該開口が封止されることを特徴とする計量センサ用防水カバー。
【請求項２】
前記計量センサの横断面は、一端部から他端部にかけて略同じ大きさに形成され、前記２つの開口は、前記計量センサの横断面に対応する略同じ大きさに形成されたことを特徴とする請求項１に記載の計量センサ用防水カバー。
【請求項３】
前記開口には、該開口内周縁部が嵌合するシール溝を周設した封止部材が装着され、該封止部材を介在させて前記計量センサと前記秤のベース側および被荷重印加部材側とが共締めされるように構成されたことを特徴とする請求項１または２に記載の計量センサ用防水カバー。
【請求項４】
前記計量センサは、矩形ブロック状のビーム型ロードセルで構成され、前記防水カバーの外形は、前記ロードセルの外形に対応する横断面略矩形状に形成され、前記防水カバーの一端側の開口は防水カバー上面側に、他端側の開口は防水カバー下面側にそれぞれ設けられ、前記開口に装着された封止部材と該開口周縁部とはほぼ面一に構成され、前記ロードセルを前記秤のベース側および被荷重印加部材側にそれぞれ連結した場合に、前記封止部材と前記ベース側または被荷重印加部材側間に前記開口周縁部がそれぞれ挟持されて該開口が封止されることを特徴とする請求項３に記載の計量センサ用防水カバー。
【請求項５】
ベースと、被荷重印加部材と、一端部が前記ベース側に連結され他端部が前記被荷重印加部材側に連結された計量センサと、請求項１〜４のいずれかに記載の計量センサ用防水カバーとを備えたことを特徴とする計量秤。
【発明の詳細な説明】
【０００１】
【発明の属する技術分野】
この発明は、一端側が計量秤のベース側に連結され、他端側が計量秤の被荷重印加部材側に連結されるビーム型ロードセル，圧縮型ロードセル，対向する一対の電極板を有する静電容量式センサといった計量センサ用の防水カバーおよび同防水カバーを備えた計量秤に関する。
【０００２】
【従来の技術】
下記特許文献１（図１０参照）には、ビーム型ロードセルを用いた計量センサの防水構造が開示されている。ここでは、計量センサ１Ａ全体を筐体２で覆い、筐体２の開口部（計量センサ１Ａと被荷重印加部材である計量皿８を連結する支持部材３挿通用の孔）２ａの周りには、伸縮可能な筒状のゴムカバー４が配置されて、計量センサ１Ａの防水をとっている。
【０００３】
下記特許文献２（図１１参照）には、圧縮型ロードセルを用いた計量センサの防水構造が開示されている。ここでは、計量センサ１Ｂ全体に筒状のゴムカバー５が被着され、ゴムカバー５の上下および側方の開口部の外周にＯリング６がそれぞれ装着されて、計量センサ１Ｂの防水をとっている。
【特許文献１】特開昭６２−１８２６２５号公報。
【特許文献２】特開平８−９４４２１号公報。
【発明が解決しようとする課題】
しかし、特許文献１では、計量皿８に被測定物を乗せると、計量センサ１Ａの荷重作用端側が計量皿８とともに筐体２に対し下降し（沈み込み）、このとき圧縮されるゴムカバー４内から筐体２内にかけての空気がエアダンパのごとく作用する。このため、計量センサ１Ａの計量値が実際の値よりも低く出力されることとなって、被測定物を精度よく計量できないという問題があった。
【０００４】
さらに、計量センサ１Ａの防水手段は、筐体２とゴムカバー４の二部材で構成されて、構成が複雑である上に、計量秤として組み付ける際に、いちいち計量センサ１Ａを筐体２内に収容し、筐体２と被荷重印加部材（計量皿）間にゴムカバー４を介装しなければならず、非常に面倒であるという問題もあった。
【０００５】
また、計量センサ１Ａは、多数本が箱詰めされて搬送されるが搬送中の箱内の計量センサ１Ａ同士が互いに干渉し、その表面に露出している歪みゲージやプリント基板やリード線等が損傷するおそれがあり、箱内に緩衝材を介在させるなどの対策も必要であった。
【０００６】
また、一般に、特許文献２に開示されている計量センサ１Ｂである圧縮型ロードセルは、主として大荷重の検出に使用されるため計量値にオーダーの低い値までは一般に要求されず、ゴムカバー５を計量センサ１Ｂに密着するように設けることも可能ではある。しかし、高精度の計量値を得るためには、密着するゴムカバー５を介して負荷が作用することは無視できない。
【０００７】
また、圧縮型ロードセルは、大型で重量があり、ゴムカバー５を被着する作業が大変である。特に、計量センサ１Ｂから導出するリード線をゴムカバー５の外部に引き出す関係上、ゴムカバー５と計量センサ１Ｂを周方向に位置合わせしなければならないが、計量センサ１Ｂに密着するゴムカバー５を周方向に移動調整することは非常に面倒であった。さらに、ゴムカバー５における開口部を封止するためにＯリング６を必要とし、構成部品点数が多く、それだけ構造も複雑となる。
【０００８】
本発明は、前記した従来技術の問題点を解決するためになされたもので、その第１の目的は、簡潔な構成で、計量センサへの被着および計量秤への組み付けが容易で、計量センサ搬送時の衝撃を緩和でき、計量センサを秤として組み付けると同時に計量センサの防水がとれるとともに、計量秤として組み付けた場合には高精度の計量を妨げることのない計量センサ用防水カバーを提供することにある。
【０００９】
また、第２の目的は、防塵・防水性に優れ、組み立てが容易で、常に高精度の計量が可能な計量秤を提供することにある。
【００１０】
【課題を解決するための手段および作用】
前記した第１の目的を達成するために、請求項１に係る計量センサ用防水カバーにおいては、一端部が計量秤のベース側に連結され他端部が計量秤の被荷重印加部材側に連結される計量センサの全体を覆う、伸縮可能な弾性材で一体成形された中空の防水カバーであって、
前記防水カバーを、内部に収容した計量センサとの間に隙ができるように計量センサの外形より稍大きい形状に形成し、
その両端側には、収容した計量センサを前記秤のベース側および被荷重印加部材側にそれぞれ連結するための開口であって、少なくともその一方が計量センサ挿入用の孔として機能する開口を設けるとともに、
前記防水カバー内側の前記開口近傍には、収容した計量センサを位置決めする位置決め用リブを突設し、
前記防水カバー内部の計量センサを前記秤のベース側および被荷重印加部材側にそれぞれ連結した場合に、該連結部により前記開口周縁部がそれぞれ挟持されて該開口が封止されるように構成した。
【００１１】
（作用）開口から計量センサを防水カバー内に押し込む際には、開口から計量センサを防水カバー内にスムーズに収容できる。防水カバー内に押し込まれた計量センサは、防水カバー内側に突設されている位置決め用リブに当接することで、防水カバー内所定位置に自動的に位置決めされる。即ち、計量センサにおける計量秤のベース側および被荷重印加部材側との連結予定部が、防水カバーの開口に対し位置決めされた形態に保持される。
【００１２】
そして、防水カバー内の計量センサを計量秤のベース側および被荷重印加部材側にそれぞれ連結すれば、計量センサと秤のベース側および被荷重印加部材側との連結部に開口周縁部がそれぞれ挟持されて、開口が自動的に封止される。
【００１３】
また、計量秤として組み付けられた形態において、防水カバー内側に設けた位置決め用リブは、検出部として機能しない部位である計量センサの端部と当接するので、位置決め用リブを介して計量センサに不測の負荷が作用するおそれはない。さらに、被荷重印加部材に荷重が作用した場合には、計量センサとともに防水カバーが変形するが防水カバー内の圧力は変化しないので、特許文献１におけるエアダンパのごとき作用が発生せず、計量センサの適正な作動が妨げられることはない。
【００１４】
また、計量センサを防水カバー内に収容した形態で搬送できるので、隣接する計量センサ同士の干渉による損傷の発生が防水カバーによって回避される。
【００１５】
また、請求項２においては、請求項１に記載の計量センサ用防水カバーにおいて、前記計量センサの横断面を一端部から他端部にかけて略同じ大きさに形成し、前記２つの開口を前記計量センサの横断面に対応する略同じ大きさに形成するようにした。
【００１６】
（作用）防水カバー両端のいずれの開口側からでも計量センサを防水カバー内に収容できる。
【００１７】
また、請求項３においては、前記開口には、該開口内周縁部が嵌合するシール溝を周設した封止部材を装着し、該封止部材を介在させて前記計量センサと前記秤のベース側および被荷重印加部材側とを共締めするように構成した。
【００１８】
（作用）内部に計量センサを収容した防水カバーのそれぞれの開口に、封止部材側のシール溝に開口内周縁部を嵌合させて封止部材を装着すると、封止部材の裏面側（防水カバーの内部に臨む側）が防水カバー内の計量センサに当接するとともに、開口が封止部材により閉塞かつ封止された形態となる。
【００１９】
また、開口に装着した封止部材は、防水カバー内側の位置決め用リブと協働して、計量センサが防水カバー内において移動しないように支持する。特に、計量センサと計量秤のベース側（被荷重印加部材側）との連結部は、計量センサと計量秤のベース側（被荷重印加部材側）間に封止部材を介在させて締結ねじにより共締めすることで構成されるが、この連結部を構成する締結ねじ（共締め用の締結ねじ）を用いて、封止部材を計量センサに締結することで防水カバーを計量センサに固定一体化することもできる。即ち、計量センサを計量秤のベース側（被荷重印加部材側）に連結（締結）するための締結ねじ（共締め用の締結ねじ）は、防水カバーを計量センサに固定一体化（計量センサと防水カバーをユニット化）するためにも使用できる。
【００２０】
請求項４においては、請求項３に記載の計量センサ用防水カバーにおいて、前記計量センサを矩形ブロック状のビーム型ロードセルで構成し、前記防水カバーの外形を前記ロードセルの外形に対応する横断面略矩形状に形成し、前記防水カバーの一端側の開口を防水カバー上面側に、他端側の開口を防水カバー下面側にそれぞれ設け、前記開口に装着した封止部材と該開口周縁部をほぼ面一に構成し、前記ロードセルを前記秤のベース側および被荷重印加部材側にそれぞれ連結した場合に、前記封止部材と前記ベース側または被荷重印加部材側間に前記開口周縁部がそれぞれ挟持されて該開口が封止されるように構成した。
【００２１】
（作用）防水カバーの開口に装着された封止部材は、開口周縁部とほぼ面一の面を形成するので、内部にロードセルを収容した防水カバーの開口に封止部材を装着したユニットを縦横に積層させて集積したとしても収まりがよく嵩張ることもない。
【００２２】
また、開口に装着された封止部材を介してロードセルを計量秤のベース側および被荷重印加部材側にそれぞれ連結すれば、ロードセルを覆う防水カバーの開口周縁部が封止部材と前記秤のベース側および被荷重印加部材側間に挟持されて、開口が封止される。
【００２３】
前記した第２の目的を達成するために、請求項５に係る計量秤においては、ベースと、被荷重印加部材と、一端部が前記ベース側に連結され他端部が前記被荷重印加部材側に連結された計量センサと、請求項１〜４のいずれかに記載の計量センサ用防水カバーとを備えるように構成した。
【００２４】
（作用）防水カバー内において開口に対し位置決めされた計量センサを計量秤のベース側および被荷重印加部材側にそれぞれ連結すれば、計量センサと秤のベース側および被荷重印加部材側との連結部に開口周縁部がそれぞれ挟持されて、開口が自動的に封止される。
【００２５】
また、防水カバー内側に設けた位置決め用リブは、検出部として機能しない部位である計量センサの端部と当接しているので、位置決め用リブを介して計量センサに不測の負荷が作用するおそれはない。
【００２６】
また、被荷重印加部材に荷重が作用した場合には、計量センサとともに防水カバーが変形するが防水カバー内の圧力は変化しないので、特許文献１におけるエアダンパのごとき作用は発生せず、計量センサの適正な作動が妨げられることはない。
【００２７】
【発明の実施の形態】
次に、この発明の好適な実施形態を実施例に基づいて詳細に説明する。
【００２８】
図１〜７は、本発明の第１の実施例であるビーム型ロードセル式計量秤を示し、図１は同計量秤の縦断面図、図２は同計量秤の要部であるロードセル用防水カバー周辺の分解斜視図、図２（ａ）は防水カバーの開口周縁部に設けられたシールリブの拡大斜視図、図３は同防水カバーを底面側からみた斜視図、図４はロードセルを収容した同防水カバーの水平断面図、図５は同防水カバー内にロードセルを収容し封止部材を介して一体化したユニットの縦断面図、図６はロードセルを収容した同防水カバーの開口に封止部材を装着する状態の斜視図、図７はロードセルに防水カバーを一体化した状態のまま計量秤として組み立てる様子を示す断面図である。
【００２９】
これらの図において、計量秤１０は、ベースである金属製の下フレーム１２と、被荷重印加部材である金属製上フレーム１６間に、防塵・防水用のカバー（以下、防水カバーという）３０で覆われた計量センサであるビーム型ロードセル２０が略水平に配設された構造で、下フレーム１２は、上方に開口する平面視略矩形状の下カバー１３で覆われるとともに、下カバー１３の四隅には高さ調整可能な脚１４が設けられている。一方、上フレーム１６には、下カバー１３より一回り大きく形成されて下方に開口する被計量物載置用の上皿１７がスペーサ１７ａを介し被着されている。
【００３０】
ビーム型ロードセル２０は、眼鏡型の横孔を設けた金属製（例えば、アルミ合金製）の矩形状ブロックで構成された起歪体２１の起歪部２２に歪みゲージ２３が貼付された構造で、起歪部２２に発生する歪みが歪みゲージ２３を介して検出される。符号２３ａは、歪みゲージ２３を覆うように起歪体２１に貼り付けられた歪みゲージ保護用の粘着シートである。即ち、ロードセル２０（起歪体２１）は、一端側の下面２０ｂが封止部材４０を介して下レーム１２に固定されるとともに、他端側の上面２０ａが金属製（例えば、アルミ合金製）の封止部材４０を介して上フレーム１６に固定されており、上皿１７（上フレーム１６）を介してロードセル２０（起歪体２１）の荷重作用端に荷重が作用することで、起歪体２１の起歪部２２に歪みが発生する。起歪部２２に発生した歪みは歪みゲージ２３を介して電気信号として検出され、プリント基板２４、リード線２５、コネクタ２６ａ，２６ｂおよびケーブル２７を介して、計量秤近傍に設けられた表示器２８内の演算手段である演算制御部（ＣＰＵ）２８ａで集計され、表示器２８表面の表示画面２８ｂにおいてデジタル表示される。符号１３ａは、下カバー１３に設けたケーブル挿通用の孔であり、ゴムブッシュ１３ｂで封止されている。
【００３１】
防水カバー３０は、ロードセル２０全体を覆う伸縮可能なゴムの一体成形体であって、内部に収容したロードセル２０（起歪体２１）との間に隙Ｓ（図４，５参照）ができるようにロードセル２０の外形より稍大きい横断面略矩形状の中空体で構成されるとともに、防水カバー３０の内側には、収容したロードセル２０を位置決めする複数のリブ３１が突設されている。
【００３２】
また、防水カバー３０の一端の上面側３０ａには、ロードセル２０と上フレーム１６とを連結するための第１の開口３２Ａが、防水カバー３０の他端の下面側には、ロードセル２０と下フレーム１２とを連結するための第２の開口３２Ｂが設けられている。符号５０は締結ねじ、符号２１ａは起歪体２１の端部に穿設された上下に延びるねじ孔、符号４１は封止部材４０に設けた締結ねじ５０挿通用の段付き円孔で、ロードセル２０（起歪体２１）と上フレーム１６，下フレーム１２は、第１，第２の開口３２Ａ，３２Ｂにそれぞれ装着された封止部材４０を挟むようにして締結ねじ５０によって共締めされている。符号５２（図７参照）は、共締め用締結ねじ５０の頭部５１下面に配置されたゴムブッシュで、上下のフレーム１６，１２のねじ挿通孔１６ａ，１２ａを封止するためのものである。符号５４は、開口３２Ａ，３２Ｂにそれぞれ装着された封止部材４０をロードセル２０に固定するためのねじで、封止部材４０中央に設けた段付き円孔４１ａに挿通されて、起歪体２１に穿設されたねじ孔２１ｂに螺着されている。符号５５ａ（図７参照）は、封止部材４０の段付き円孔４１ａを封止するゴムブッシュである。
【００３３】
防水カバー３０の第２の開口３２Ｂ形成側の側面には、図２，３に示すように、ケーブル挿通用の前方に開口する開口部３２Ｃが設けられており、ロードセル２０から延びるリード線２５側コネクタ２６ａおよびケーブル側コネクタ２６ｂは、封止部材であるカラー２９を介して開口部３２Ｃ内に圧入されることで、開口部３２Ｃが封止されている。
【００３４】
また、第１，第２の開口３２Ａ，３２Ｂは、ロードセル２０の横断面に略対応する大きさの円孔で構成されて、いずれの開口３２Ａ，３２Ｂからでもロードセル２０を防水カバー３０内に押し込むことで収容できるようになっている。なお、開口３２Ａ，３２Ｂのいずれか一方から防水カバー３０内に押し込まれたロードセル２０は、防水カバー３０の内側に設けられているリブ３１に当接することで、防水カバー３０内所定位置に位置決めされる。特に、開口３２Ａ，３２Ｂに正対して設けられたリブ３１は、防水カバー３０内のロードセル２０（起歪体２１）の上下の面２０ａ，２０ｂに当接して、ロードセル２０（起歪体２１）における上下のフレーム１６，１２との連結予定部位が第１，第２の開口３２Ａ，３２Ｂに対し位置決めされた形態となるように保持する作用がある。
【００３５】
また、第１，第２の開口３２Ａ，３２Ｂには、それぞれ開口３２Ａ，３２Ｂに整合する円盤形状の封止部材４０が装着されるとともに、開口３２Ａ，３２Ｂの断面鈎型内周縁部３３が封止部材４０に周設されているシール溝４２に嵌合して、開口３２Ａ，３２Ｂがそれぞれ閉塞かつ封止されている。
【００３６】
また、開口３２Ａ，３２Ｂに封止部材４０が装着されて開口３２Ａ，３２Ｂが閉塞かつ封止される（開口３２Ａ，３２Ｂの断面鈎型内周縁部３３が封止部材４０のシール溝４２に嵌合する）と、封止部材４０の裏面（防水カバー３０内のロードセル２０に臨む側の面）４０ｂがロードセル２０（起歪体２１）の上下の面２０ａ，２０ｂに当接し、ロードセル２０の防水カバー３０に対する正確な位置決めができる。そして、ねじ５４により、封止部材４０がロードセル２０（起歪体２１）に固定されることで、ロードセル２０の両端部が封止部材４０と位置決め用リブ３１で挟まれて、防水カバー３０内をロードセル２０が移動しないように保持される。
【００３７】
さらに、開口３２Ａ，３２Ｂに装着された封止部材４０の表面４０ａは、開口３２Ａ，３２Ｂの周縁部表面３３ａとほぼ面一の面を形成するとともに、周縁部の外側表面３３ａには、図２（ａ）に拡大して示すように、開口３２Ａ，３２Ｂを取り囲んで環状に延在する、封止部材４０の表面４０ａより僅かに高いシールリブ３４が設けられている。このため、開口３２Ａ，３２Ｂに装着された封止部材４０がロードセル２０（起歪体２１）と上フレーム１６（下フレーム１２）に挟まれた形態に締結ねじ５０により共締めされることで、防水カバー３０の開口周縁部３３が封止部材４０と上フレーム１６（下フレーム１２）に圧接密着し、開口３２Ａ，３２Ｂが確実に封止された形態に保持されている。特に、シールリブ３４は、締結ねじ５０により締結された際に挟持力が最も高くなる、封止部材４０のシール溝４２の外壁４３に対応する位置に設けられており、それだけ開口３２Ａ，３２Ｂにおける防水が確保されている。
【００３８】
従って、開口３２Ａ，３２Ｂは、断面鈎型内周縁部３３が封止部材４０のシール溝４２に嵌合して封止され、さらに締結ねじ５０によりシールリブ３４形成位置に作用する圧接力により封止されるという、開口を取り囲む二重の封止構造が採用されて、開口３２Ａ，３２Ｂにおける防塵・防水が確保され、計量秤の長期にわたる使用が保証されている。
【００３９】
また、防水カバー３０内側に設けた位置決め用リブ３１は、検出部として機能しない部位であるロードセル２０（起歪体２１）の端部と当接しているので、位置決め用リブ３１を介してロードセル２０（起歪体２１）に不測の負荷が作用するおそれはない。
【００４０】
また、上皿１７（上フレーム１６）に荷重が作用した場合には、ロードセル２０（起歪体２１）とともに防水カバー３０が変形するが、防水カバー３０内の圧力は変化しないので、特許文献１におけるエアダンパのごとき作用は発生せず、ロードセル２０（起歪体２１）の適正な作動が妨げられることはない
また、防水カバー３０の長手方向中央には伸縮可能な蛇腹部３６が設けられており、防水カバー３０の伸縮性および可撓性が高められて、防水カバー４０内にロードセル２０を収容し易く、また荷重検出時には、防水カバー３０を介してロードセル２０（起歪体２１）に不測の負荷が伝達されないようになっている。
【００４１】
また、ロードセル２０は、予め防水カバー３０に収容し開口３２Ａ，３２Ｂに封止部材４０を装着し、ねじ５４により、ユニットＵとして一体化した形態で、保管したり搬送したり、計量秤として組み付けることで、以下のような効果がある。
【００４２】
即ち、ロードセル２０を収容した防水カバー３０の開口３２Ａ，３２Ｂに封止部材４０を装着し、ねじ５４により封止部材４０をロードセル２０（起歪体２１）に固定一体化すると、図７に示すように、開口３２Ａ，３２Ｂが封止部材４０により確実に閉塞かつ封止されたユニットＵが構成される。そして、開口３２Ａ，３２Ｂに装着された封止部材４０の表面４０ａは、開口３２Ａ，３２Ｂの周縁部表面３３ａとほぼ面一の面を形成するので、横断面略矩形状のユニットＵを左右に接近させて並べることは勿論、上下に積み重ねることも容易である。
【００４３】
したがって、ロードセル２０をユニットＵとして保管すれば、嵩張らず保管スペースも小さくてよい。また、防水カバー３０内に塵や水が侵入しにくく、長期にわたり保管したとしてもロードセル２０が汚れたり錆たりすることもない。
【００４４】
また、ロードセル２０をユニットＵとして搬送すれば、ユニットＵを集積して搬送したとしても、隣接するロードセル２０間には必ず２枚の防水カバー３０が存在することとなる。このため、隣接するロードセル２０同士の干渉による損傷の発生が回避されることは勿論であるが、防水カバー３０内のロードセル２０は封止部材４０を介して防水カバー３０に固定されており、防水カバー３０の内側にリブ３１，３２が存在することとも相まって、搬送中にロードセル２０が防水カバー３０内で移動してプリント基板２４やリード線２５が脱落する等の不具合もない。
【００４５】
また、ユニットＵの形態のまま、締結ねじ５０を使って上下のフレーム１６，１２をロードセル２０（起歪体２１）にねじ締結することで、簡単に計量秤として組み付けることができる。
【００４６】
図８は、本発明の第２の実施例であるビーム型ロードセル式計量秤の要部である、ロードセルに一体化された防水カバーの縦断面図である。
【００４７】
前記した実施例では、ねじ５４により封止部材４０がロードセル２０（起歪体２１）に固定されてユニットＵが構成されていたが、この第２の実施例の計量秤１０Ａでは、ロードセル２０（起歪体２１）を上下のフレーム１６，１２に締結するために用いる締結ねじ５０を使って、封止部材４０がロードセル２０（起歪体２１）に固定されてユニットＵ１が構成されている。
【００４８】
このため、ねじ締結により一体化されているユニットＵ１をこのまま計量秤として組み付ける（上下のフレーム１６，１２に締結する）ことは困難なため、ユニットＵ１の締結ねじ５０を一旦取り外し、この取り外した締結ねじ５０を使って、封止部材４０をロードセル２０の上面２０ａ（下面２０ｂ）と上フレーム１６（下フレーム１２）で挟むようにして共締めする。この共締め作業の際、ユニットＵから締結ねじ５０を取り外したとしても、封止部材４０と防水カバー３０内のロードセル２０の位置形態は、ねじ締結されたユニットＵ１におけるそれ（封止部材４０とロードセル２０の位置形態）とほとんど変わらないので、封止部材４０のねじ挿通孔４１とロードセル２０（起歪体２１）のねじ孔２１ａの配置はほとんどずれることなく一致している。したがって、締結ねじ５０をねじ孔２１ａに螺着させ易いし、ユニットＵ１に用いた締結ねじ５０をそのままロードセル２０と上フレーム１６（下フレーム１２）とを締結するねじとしても使用するので、ユニットＵに用いる締結ねじと、計量センサを上下のフレーム１６，１２に締結する締結ねじをそれぞれ別に用意する場合に比べて、締結ねじを共通化できるためそれだけ部品点数が少なく、計量秤の構成も簡潔となる。
【００４９】
その他は、前記第１の実施例と同一であり、同一の符号を付すことで、その重複した説明は省略する。
【００５０】
図９は本発明の第３の実施例であるビーム型ロードセル式計量秤の縦断面図を示す。
【００５１】
前記した第１，第２の実施例における計量秤１０，１０Ａでは、封止部材４０とロードセル２０（起歪体２１）とが別体に構成されていたが、この第２の実施例の計量秤１０Ｂでは、封止部材とロードセル（起歪体）とが一体的に形成されている。即ち、アルミ合金製の封止部一体型ロードセル２０Ａ（起歪体２１Ａ）は、矩形ブロック形状の起歪体２１Ａの端部に封止部４０Ａが一体的に形成されており、開口３２Ａ，３２Ｂを封止するための別体の封止部材が不要となる分、構成が簡潔である。
【００５２】
また、封止部４０Ａが防水カバー３０の横断面や開口３２Ａ，３２Ｂより僅かに大きい分、開口３２Ａ，３２Ｂを介してこれを防水カバー３０内に挿通させる際の抵抗が幾分大きくなるものの、防水カバー３０の伸縮性により、封止部一体型ロードセル２０Ａを防水カバー３０内部に収容できるとともに、開口内周縁部３３を封止部４０Ａのシール溝４２に嵌合できる。
【００５３】
その他は、前記第１，第２の実施例と同一であり、同一の符号を付すことで、その重複した説明は省略する。
【００５４】
なお、前記した実施例では、ビーム型ロードセル式計量秤について説明したが、本発明は、一端側が計量秤のベース側に連結され他端側が計量秤の被荷重印加部材側に連結される圧縮型ロードセル，対向する一対の電極板を有する静電容量式センサといった計量センサ用の防水カバーおよびこの防水カバーを備えた計量秤についても同様に適用できる。
【００５５】
【発明の効果】
以上述べたように、請求項１に係る計量センサ用防水カバーによれば、防水カバーの伸縮性と防水カバー内側の位置決め用リブを利用して防水カバー内所定位置に計量センサを簡単に収容できるので、計量センサに対する防水カバーの被着作業および計量秤への組み付け作業が容易となる。
【００５６】
また、計量センサを計量秤のベース側および被荷重印加部材側にそれぞれ連結すれば、計量センサを覆う防水カバーの開口が自動的に封止されるので、防水カバーの開口を封止するためのＯリング等の部材が一切不要で、それだけ防水手段の構成も簡潔となる。
【００５７】
また、計量センサを覆う防水カバーが搬送時の衝撃や振動に対する緩衝材として機能するので、緩衝材を用いるまでもなく、一度に多数の計量センサを傷を付けることなく搬送できる。
【００５８】
請求項２によれば、２つの開口のいずれの側からでも計量センサを防水カバー内に収容できるので、計量センサの防水カバー内への収容作業、即ち計量センサに対する防水カバーの装着作業が容易となる。
【００５９】
請求項３によれば、防水カバーの２つの開口が封止部材により閉塞かつ封止されるとともに、計量センサが防水カバー内で移動しないように保持されて、計量センサが汚れたり錆たり破損したりするおそれがないので、防水カバー内に計量センサを収容したユニットとして取り扱うことで、保管したり搬送したり計量秤として組み付ける上で非常に便利である。
【００６０】
特に、封止部材を介し防水カバーを計量センサに固定一体化してユニットを構成した場合には、計量センサが防水カバー内で移動しないように保持され、かつ封止部材が開口から外れることもないので、ユニットを多少乱暴に扱っても問題がなく、計量センサおよび防水カバーを保管したり搬送したり計量秤として組み付ける際の取り扱いが楽になる。
【００６１】
請求項４によれば、封止部材を介し防水カバーをロードセルに固定一体化したユニットを縦横に積層させて集積しても収まりがよく嵩張ることもないので、ロードセルおよび防水カバーの保管や搬送に便利である。
【００６２】
また、ロードセルが封止部材を介して計量秤のベース側および被荷重印加部材側にそれぞれ連結されることで、ロードセルを覆う防水カバーの開口が確実に封止されて、ロードセルの防塵・防水が保証される。
【００６３】
請求項５に係る計量秤によれば、計量センサを計量秤のベース側および被荷重印加部材側にそれぞれ連結すれば、計量秤として組み付けできるとともに、計量秤としての組立が容易である。
【００６４】
また、防水カバーにより計量センサの防水が確実にとれるとともに、特許文献１におけるエアダンパのごとき作用を受けることなく軽量センサは適正に作動できるので、高精度の計量ができる。
【００６５】
【図面の簡単な説明】
【図１】本発明の第１の実施例であるビーム型ロードセル式計量秤の縦断面図である。
【図２】同計量秤の要部であるロードセル用防水カバー周辺の分解斜視図である。
【図２（ａ）】防水カバーの開口周縁部に設けられたシールリブの拡大斜視図である。
【図３】同防水カバーを底面側からみた斜視図である。
【図４】ロードセルを収容した同防水カバーの水平断面図である。
【図５】同防水カバー内にロードセルを収容し封止部材を介して一体化したユニットの縦断面図である。
【図６】ロードセルを収容した同防水カバーの開口に封止部材を装着する状態の斜視図である。
【図７】ロードセルに防水カバーを一体化した状態のまま計量秤として組み立てる様子を示す断面図である。
【図８】本発明の第２実施例であるビーム型ロードセル式計量秤の要部である、ロードセルに一体化された防水カバーの縦断面図である。
【図９】本発明の第３の実施例であるビーム型ロードセル式計量秤の縦断面図である。
【図１０】従来のビーム型ロードセル式計量秤の縦断面図である。
【図１１】従来の圧縮型ロードセル式計量秤の縦断面図である。
【符号の説明】
１０、１０Ａ、１０Ｂ  ビーム型ロードセル式計量秤
１２  計量秤のベースである下フレーム
１６  計量秤の被荷重印加部材である上フレーム
２０  計量センサであるビーム型ロードセル
２０Ａ  封止部一体型ビーム型ロードセル
２０ａ  ロードセルの上面
２０ｂ  ロードセルの下面
２１  起歪体
２１Ａ  封止部一体型ビーム型起歪体
２２  起歪部
２３  歪みゲージ
３０  ロードセル用防水カバー
３０ａ  防水カバーの上面
３０ｂ  防水カバーの下面
３１  位置決め用のリブ
３２Ａ  ロードセル（起歪体）と上フレームとを連結するための第１の開口
３２Ｂ  ロードセル（起歪体）と下フレームとを連結するための第２の開口
３３  開口の断面鈎型内周縁部
３４  シールリブ
４０  封止部材
４０Ａ  封止部
４０ａ  封止部材の表面
４０ｂ  封止部材の裏面
４２  シール溝
５０  ロードセルと上フレーム（下フレーム）の締結固定手段である締結ねじ
５４  ロードセルと封止部材を固定するねじ
Ｓ  防水カバーとロードセル間の隙
Ｕ，Ｕ１，Ｕ２  封止部材を介しロードセルと防水カバーを一体化したユニット
【図１】
2004354129.tif 000003
【図２】
2004354129.tif 000004
【図２（ａ）】
2004354129.tif 000005
【図３】
2004354129.tif 000006
【図４】
2004354129.tif 000007
【図５】
2004354129.tif 000008
【図６】
2004354129.tif 000009
【図７】
2004354129.tif 000010
【図８】
2004354129.tif 000011
【図９】
2004354129.tif 000012
【図１０】
2004354129.tif 000013
【図１１】
2004354129.tif 000014